(57)【要約】【課題】洗濯物を蓋体に挟んだまま運転した場合に、パッキン部材が外れずに水漏れを防止する。【解決手段】本体１前面の内方に設けられ開口部１４を有する前面板１３と、前面板１３の開口部１４を開閉自在に覆う蓋体９と、蓋体９に設けられ前面板１３の開口部１４の内方に突出する内蓋２１と、前面板１３の開口部１４と水槽５の開口部１５とを連結する弾性材からなるパッキン部材１６とを備え、パッキン部材１６は、蓋体９を閉めた時に内蓋２１に当接してシールするリップ部１６ａを有し、リップ部１６ａは、前面板１３の開口部１４の内方に突出し、リップ部１６ａの先端に近づくほど厚みを薄く形成したことにより、洗濯物が蓋体とパッキン部材の間に誤って挟まれたまま運転された場合には、リップ部の薄肉部分だけが切断されるようになり、パッキン部材が外れて大きな水漏れが発生することを防止することができる。【選択図】図３
2014090778.tif 000002
【特許請求の範囲】
【請求項１】
本体内に揺動自在に弾性支持され前面側に開口部を設けた水槽と、前記水槽に回転自在に内包され前面側に開口部を設けた回転ドラムと、前記回転ドラムを回転駆動するモータと、前記本体前面の内方に設けられ開口部を有する前面板と、前記前面板の開口部を開閉自在に覆う蓋体と、前記蓋体に設けられ前記前面板の開口部の内方に突出する内蓋と、前記前面板の開口部と前記水槽の開口部とを連結する弾性材からなるパッキン部材とを備え、前記パッキン部材は、前記蓋体を閉めた時に前記内蓋に当接してシールするリップ部を有し、前記リップ部は、前記前面板の開口部の内方に突出し、前記リップ部の先端に近づくほど厚みを薄く形成したドラム式洗濯機。
【請求項２】
前記リップ部と前記パッキン部材との接合部には、曲率半径を有する内周面を設けた請求項１に記載のドラム式洗濯機。
【請求項３】
前記内周面の曲率半径を３ｍｍ以上とした請求項２に記載のドラム式洗濯機。
【発明の詳細な説明】
【技術分野】
【０００１】
本発明は、回転ドラム内に収容した洗濯物を洗濯するドラム式洗濯機に関するものである。
【背景技術】
【０００２】
従来、この種のドラム式洗濯機は、洗いや脱水の際、水槽内に溜められた水が、洗濯機本体内部又は外部に漏れてしまうのを防止するために、回転ドラムの開口部に対応する水槽の開口部と本体前面に設けた開口部との間に、それらを連結するパッキン部材を設ける構成が提案されている（例えば、特許文献１参照）。
【０００３】
図４は、特許文献１に記載された従来のドラム式洗濯機のパッキン部材周辺の要部断面図を示すものである。
【０００４】
図４において、本体（図示せず）を構成する前面側の部材であるパネル部材３７の内部に位置する前面板４３には、回転ドラム（図示せず）の開口部と対応して、前面板の円形の開口部４４を形成している。前面板４３は、その前方がパネル部材３７で覆われている。
【０００５】
回転ドラムを内包する水槽３５の開口部４５も、衣類投入のための開口部３８ａを有する開口部材３８の内側で、しかも前面板４３の開口部４４と対向する位置にあるもので、これら水槽３５の開口部４５と前面板４３の開口部４４との間の隙間はゴムなどの弾性材から作られた環状筒状のパッキン部材４６で密閉されて、隙間からの本体内への水の浸入を防止している。
【０００６】
また、閉じた蓋体３９の内蓋５３外周がパッキン部材４６のリップ部４６ａの内周面に当たって、これら両者間のシールを行なうように構成されており、蓋体３９の外周からの水や蒸気の漏れを防止している。
【０００７】
また、パッキン部材４６の水槽３５側は、開口部４５の外周部に装着され、ワイヤ５２によって固定されている。パッキン部材４６の前面板４３側には、フランジ部４６ｂが設けられ、そのフランジ部４６ｂは、取付板４７を前面から前面板４３にネジ５１にてネジ止め固定することにより、前面板４３に設けた凹部４３ａと取付板４７に設けた凸部４７ａとによって、挟持固定されている。
【先行技術文献】
【特許文献】
【０００８】
【特許文献１】特開２００５−１４３７９５号公報
【発明の概要】
【発明が解決しようとする課題】
【０００９】
しかしながら、前記従来の構成では、使用者が洗濯物を回転ドラム内に入れて蓋体を閉めた時に、誤って洗濯物の一部を内蓋外周とパッキン部材との間に挟んでしまい、そのまま運転を開始した場合に、回転ドラムの回転により、洗濯物がパッキン部材を巻きつけるようにして大きな力で回転ドラム内に引張り、パッキン部材が外れて、水漏れが発生することがあるという課題があった。
【００１０】
本発明は、洗濯物が内蓋とパッキン部材の間に挟まれたまま運転された場合にも、パッ
キン部材が外れないようにして、大きな水漏れの被害を起こさないドラム式洗濯機を提供することを目的とする。
【課題を解決するための手段】
【００１１】
前記課題を解決するために、本発明のドラム式洗濯機は、本体内に揺動自在に弾性支持され前面側に開口部を設けた水槽と、前記水槽に回転自在に内包され前面側に開口部を設けた回転ドラムと、前記回転ドラムを回転駆動するモータと、前記本体前面の内方に設けられ開口部を有する前面板と、前記前面板の開口部を開閉自在に覆う蓋体と、前記蓋体に設けられ前記前面板の開口部の内方に突出する内蓋と、前記前面板の開口部と前記水槽の開口部とを連結する弾性材からなるパッキン部材とを備え、前記パッキン部材は、前記蓋体を閉めた時に前記内蓋に当接してシールするリップ部を有し、前記リップ部は、前記前面板の開口部の内方に突出し、前記リップ部の先端に近づくほど厚みを薄く形成したものである。
【００１２】
これによって、洗濯物が内蓋とパッキン部材の間に誤って挟まれたまま運転された場合には、リップ部の薄肉部分だけが切断されるようになり、パッキン部材が外れて大きな水漏れが発生することを防止することができる。
【発明の効果】
【００１３】
本発明のドラム式洗濯機は、使用者が誤って洗濯物を内蓋に挟んだまま運転したとしても、洗濯物の巻き込みによるパッキン部材の外れを防止し、水漏れを防止することができる。
【図面の簡単な説明】
【００１４】
【図１】本発明の実施の形態におけるドラム式洗濯機の外観斜視図
【図２】同ドラム式洗濯機の縦断面図
【図３】同ドラム式洗濯機のパッキン部材周辺の拡大断面図
【図４】従来のドラム式洗濯機のパッキン部材周辺の拡大断面図
【発明を実施するための形態】
【００１５】
第１の発明は、本体内に揺動自在に弾性支持され前面側に開口部を設けた水槽と、前記水槽に回転自在に内包され前面側に開口部を設けた回転ドラムと、前記回転ドラムを回転駆動するモータと、前記本体前面の内方に設けられ開口部を有する前面板と、前記前面板の開口部を開閉自在に覆う蓋体と、前記蓋体に設けられ前記前面板の開口部の内方に突出する内蓋と、前記前面板の開口部と前記水槽の開口部とを連結する弾性材からなるパッキン部材とを備え、前記パッキン部材は、前記蓋体を閉めた時に前記内蓋に当接してシールするリップ部を有し、前記リップ部は、前記前面板の開口部の内方に突出し、前記リップ部の先端に近づくほど厚みを薄く形成したことにより、洗濯物が内蓋とパッキン部材の間に誤って挟まれたまま運転された場合には、リップ部の薄肉部分に亀裂が入り切断されるようになり、パッキン部材が外れて大きな水漏れが発生することを防止できる。
【００１６】
第２の発明は、特に、第１の発明において、前記リップ部と前記パッキン部材との接合部には、曲率半径を有する内周面を設けたことにより、洗濯物が内蓋とパッキン部材の間に誤って挟まれたまま運転された場合には、リップ部の薄肉部分が切断されても、リップ部の厚肉部分でシールを維持することができるようになる。
【００１７】
第３の発明は、特に、第２の発明において、前記内周面の曲率半径を３ｍｍ以上としたことにより、リップ部の厚肉部分を最小限度に設定することで、リップ部の柔軟性を確保するとともに、洗濯物が内蓋とパッキン部材の間に誤って挟まれたまま運転された場合に、リップ部の薄肉部分が切断されても、リップ部の厚肉部分が切断されずに残るようにな
る。
【００１８】
以下、発明の実施の形態について、図面を参照しながら説明する。また、この実施の形態によって本発明が限定されるものではない。
【００１９】
（実施の形態１）
図１は本発明の実施の形態におけるドラム式洗濯機の外観斜視図、図２は、同ドラム式洗濯機の縦断面図である。
【００２０】
図１、２において、前面をなだらかな上方後退曲面とした本体１は、分割された板金製の左右側板１０、着脱可能な背面板１１、前記左右側板１０を連結する複数の板金製の連結板（一部後述）、合成樹脂からなる天板１２およびパネル部材７などで構成されており、パネル部材７の上方には、各種の設定を行なうスイッチ操作部１８、設定を表示する表示部１９を配置した操作パネル２０が設けられている。
【００２１】
本体１の内部には、サスペンション構造（図示せず）によって水槽５が揺動自在に弾性支持されており、水槽５内には、有底円筒形に形成された回転ドラム４が、その軸心方向を正面側から背面側に向けて下向きに傾斜させて回転自在に支持されている。
【００２２】
回転ドラム４の周壁には多数の孔２を有するとともに、衣類撹拌用の複数のバッフル３を内周より突出させており、回転ドラム４は、水槽５の背面側に取り付けられたモータ２２によって、正転及び逆転方向に回転駆動される。また、水槽５には、注水管路２３及び排水管路２４が配管接続され、図示しない注水弁及び排水弁の制御によって水槽５内への注水及び排水がなされる。
【００２３】
そして、洗濯動作時には、回転ドラム４内に収納された洗濯物はバッフル３で上方へ持ち上げられ、所定位置でこのバッフル３から剥離して回転ドラム４に溜められた水面に落下するもので、いわゆる”たたき洗い”がなされる。
【００２４】
回転ドラム４の開口部６は、本体１前面側の曲面状のパネル部材７に設けた洗濯物投入のための開口部８ａを有する開口部材８に対向しており、また、この開口部材８の開口部８ａは、内方に硬質透明材の内蓋２１を有する蓋体９で開閉される。また、本体１前面の内方には開口部１４を有する前面板１３が設けられ、内蓋２１は前面板１３の開口部１４の内方に突出している。
【００２５】
本体１を構成する複数の連結板のうち、パネル部材７の内部に位置する前面板１３には、回転ドラム４の開口部６と対応して、前面板１３の円形の開口部１４が形成されており、前面板１３は、その前方がパネル部材７で覆われている。
【００２６】
また、水槽５の開口部１５も、洗濯物投入のための開口部８ａを有する開口部材８の内側で、しかも前面板１３の開口部１４と対向する位置にある。
【００２７】
水槽５の開口部１５と前面板１３の開口部１４とは、ゴムなどの弾性材からつくられた略円筒状のパッキン部材１６で連結されてシールされており、水が水槽５から本体１内へ漏出するのを防止している。
【００２８】
また、パッキン部材１６の内周に形成したリップ部１６ａは、前面板１３の開口部１４の内方に突出しており、蓋体９を閉めた時に、蓋体９内方側の内蓋２１外周と当接してシールを行い、蓋体９の外周からの水および蒸気の漏出を防止している。
【００２９】
図３は、本発明の実施の形態におけるドラム式洗濯機のパッキン部材周辺の拡大断面図である。
【００３０】
図３において、パッキン部材１６のリップ部１６ａの厚みは、先端に行くほど薄くなっている。また、パッキン部材１６のパッキン本体部１６ｂとリップ部１６ａとの接合部には、曲率半径を有する内周面２５を設けており、内周面２５の曲率半径は３ｍｍあるいは３ｍｍ以上に形成することで、内周面２５に係るリップ部１６ａを厚肉構造としている。
【００３１】
また、内周面２５の曲率半径を３ｍｍ以上としたことにより、リップ部１６ａの厚肉部分を最小限度に設定することができる。これにより、リップ部の柔軟性が確保され、内蓋２１との当接状態に隙間が無くなり、シール性が向上する。
【００３２】
なお、図３では、パッキン部材１６のリップ部１６ａと内蓋２１は、リップ部１６ａの形状を分かり易く説明するために重ねて表示してあるが、実際は、蓋体９を閉めた状態では、上述のようにリップ部１６ａは内蓋２１外周に当接してシールを行なうようになっている。
【００３３】
このような構成で運転する場合の動作について説明する。
【００３４】
洗濯物を内蓋２１とパッキン部材１６の間に誤って挟んだ状態で運転した場合、洗濯物が内蓋２１とパッキン部材１６の間に挟まれたまま、バッフル３の回転に伴って洗濯物が撹拌されようとする。
【００３５】
このため、パッキン部材１６のリップ部１６ａには、洗濯物によってパッキン部材１６を巻きつけるような大きな力が加わり、パッキン部材１６にはねじれによる剪断力が作用する。
【００３６】
ここで、リップ部１６ａの厚みは先端に行くほど薄くなっているので、この剪断力の作用により、リップ部１６ａの薄肉部に亀裂が生じ切断されることになる。しかしながら、リップ部１６ａに設けた内周面２５には厚みが十分にあるため、リップ部１６ａの内周面２５に係る部分では切断されることはない。
【００３７】
内周面２５の曲率半径を３ｍｍ以上とすることで、リップ部１６ａに亀裂が生じない程度の厚肉部分を十分に確保することができる。
【００３８】
このように、パッキン部材１６のリップ部１６ａの薄肉部が切断されることで、パッキン部材１６全体が外れることはない。また、リップ部１６ａとパッキン本体部１６ｂとの接合部の内周面２５の曲率半径を３ｍｍあるいは３ｍｍ以上に形成し、リップ部１６ａに厚肉部を設けているために、リップ部１６ａの薄肉部が切断した後、リップ部１６ａの内周面２５に係る部分は切断されずに残り、残ったリップ部１６ａの厚肉部の先端が内蓋２１に当接するようになり、シールは維持される。
【産業上の利用可能性】
【００３９】
以上のように、本発明にかかるドラム式洗濯機は、使用者が誤って洗濯物を蓋体に挟んだまま運転したとしても、洗濯物の巻き込みによるパッキン部材の外れを防止して、水漏れを防止できるので、蓋体と回転機能を有する他の洗濯機の用途にも適用できる。
【符号の説明】
【００４０】
１  本体
４  回転ドラム
５  水槽
６、８ａ、１４、１５  開口部
９  蓋体
１３  前面板
１６  パッキン部材
１６ａ  リップ部
２１  内蓋
２２  モータ
２５  内周面
【図１】
2014090778.tif 000003
【図２】
2014090778.tif 000004
【図３】
2014090778.tif 000005
【図４】
2014090778.tif 000006